【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
手動または自動で操作可能ない工具にして、ねじ式固定具を挿入するための工具（１）であって、
前端（１７）および後端（１８）を有する細長いハンドル（１２）と、
先端（１４）および末端（１６）を有するシャフト（１０）と、を備え、
前記シャフトは、前記先端（１４）が前記ハンドルの前端（１７）から延びた位置に存在し且つ前記末端（１６）が前記ハンドルの後端（１８）に接近して存在する状態で、前記ハンドルの両端間に延びており、
前記シャフトの前記末端（１６）は、前記シャフト（１０）の中心線に沿って延びる縦穴（２４）を有し、該縦穴は、電動ドリルのチャック内で嵌合するタイプのドライバービットを受けるように形状づけられており、前記縦穴（２４）の深さおよび壁厚は、前記ドライバービットが前記縦穴内にある深さまで入ったときに前記ドライバービットに接触する縦穴内部壁の表面領域が、前記電動ドリルによって前記工具（１）に加えられるトルクを吸収することができる程度となるようになされている、工具（１）。
【請求項２】
前記シャフトの先端（１４）が、前記ねじ式固定具の１つの頭部に付着するように形状づけられている、請求項１に記載の工具（１）。
【請求項３】
先端および後端を有するねじ案内（２６）をさらに備え、前記ねじ案内は、前記ハンドル前端（１７）から延びる前記シャフト（１０）の長さの一部を包囲するように形成され、前記ねじ案内は、前記シャフト（１０）が前記ねじ案内（２６）内で回転可能となり、且つ、前記ねじ案内が第１位置と第２位置との間で前記シャフト（１０）上を滑動可能となるようにして、装着され、前記ねじ案内（２６）が前記第１位置にあるときは、挿入されるべきねじ式固定具が適所にねじ込まれつつある間、前記ねじ案内の先端が前記固定具を適所に保持するように前記固定具の周りに嵌合し、前記ねじ案内（２６）が前記第２位置にあるときは、前記ねじ案内の先端が前記シャフトの先端（１４）を十分に露出するように前記ハンドルの前端（１７）に向かって後退される、請求項２に記載の工具（１）。
【請求項４】
前記縦穴（２４）の一部が、該縦穴（２４）に挿入されるドライバービットを保持する際に該保持を支援するように磁化されている、請求項３に記載の工具（１）。
【請求項５】
前記シャフトの先端（１４）が、該シャフトの先端（１４）に位置づけられる固定具を保持する際に該保持を支援するように磁化されている、請求項４に記載の工具（１）。
【請求項６】
前記工具と共に使用するのに適したねじ式固定具が、ねじ、ボルト、ナット、ソケット付き器具からなるグループから選択される、請求項５に記載の工具（１）。
【請求項７】
前記シャフトの先端（１４）は縦穴（２７）を有し、該縦穴は、ねじ式固定具を挿入するために前記工具（１）と共に使用可能な複数のねじビットの何れかを受けるように形状づけられ、前記ねじ式固定具は、ねじビットの頭部形状に整合した頭部形状であって、前記ねじ頭部のための種々の設計から選択される頭部形状を有する、請求項１に記載の工具（１）。
【請求項８】
先端および後端を有するねじ案内（２６）をさらに備え、前記ねじ案内は、前記ハンドル前端（１７）から延びる前記シャフト（１０）の長さの一部を包囲するように形成されており、該ねじ案内は、前記シャフト（１０）が該ねじ案内（２６）内で回転可能となり、且つ、該ねじ案内が第１位置と第２位置との間で前記シャフト上を滑動可能となるように装着され、前記ねじ案内（２６）が前記第１位置にあるときは、挿入されるべきねじ式固定具が適所にねじ込まれつつある間に、前記ねじ案内の先端が前記固定具を適所に保持するように前記固定具の周りに嵌合し、前記ねじ案内（２６）が前記第２位置にあるときは、前記ねじ案内の先端が前記シャフトの先端（１４）を十分に露出するように前記ハンドル前端（１７）に向かって後退される、請求項７に記載の工具（１）。
【請求項９】
前記シャフト後端の縦穴（２４）の一部が、該シャフト後端の縦穴に置かれるドライバービットを保持する際に該保持を支援するように磁化されている、請求項８に記載の工具（１）。
【請求項１０】
前記シャフトの先端の縦穴（２４）の一部が、該シャフトの先端の縦穴に置かれるドライバービットを保持する際に該保持を支援するように磁化されている、請求項９に記載の工具（１）。
【請求項１１】
前記ハンドルの前端（１７）は、前記シャフトの先端の縦穴（２７）に挿入するのに適した種類のドライバービットを収納するように形成されたスロット（１５）を有する、請求項１０に記載の工具（１）。
【請求項１２】
前記工具と共に使用するのに適したねじ式固定具が、ねじ、ボルト、ナット、ソケット付き器具からなるグループから選択される、請求項１１に記載の工具（１）。
【請求項１３】
手動または自動で操作可能な工具にして、ねじ式固定具を挿入するための工具（１）において、
前端（１７）および後端（１８）を有する細長いハンドル（１２）と、
先端（１４）および末端（１６）を有するシャフト（１０）と、ならびに
前記ハンドルの後端（１８）に装着された細長いインサート（２８）とを備え、
前記ハンドル（１２）は、前記末端（１６）を含む前記シャフト（１０）の一部に装着されており、前記ハンドル（１２）は、前記先端（１４）付近の前記シャフトの一部を前記ハンドルの前記前端（１７）から延びるようにさせており、
前記インサートは、前記シャフト（１０）の中心線に一致する縦軸を有し、該インサートは該インサートの中心線にそって延びる縦穴（２４）を有し、該縦穴（２４）は電動ドリルのチャック内で嵌合するタイプのドライバービットを受けるように形成され、前記縦穴（２４）の深さおよび壁厚は、前記ドライバービットを記縦穴（２４）のある深さまで入れたときに前記ドライバービットに接触する縦穴内部壁の表面領域が、前記電動ドリルによって前記工具（１）に加えられるトルクを吸収することができるようになされている、工具（１）。
【請求項１４】
前記シャフトの先端（１４）は、前記ねじ式固定具の１つの頭部に付着するように形状づけられた、請求項１３に記載の工具（１）。
【請求項１５】
前記工具と共に使用するのに適したねじ式固定具が、ねじ、ボルト、ナット、ソケット付き器具からなるグループから選択される、請求項１４に記載の工具（１）。
【請求項１６】
先端および後端を有するねじ案内（２６）をさらに備え、前記ねじ案内は、前記ハンドル前端（１７）から延びる前記シャフト（１０）の長さの一部を包囲するように形成され、前記ねじ案内は、前記シャフト（１０）が前記ねじ案内（２６）内で回転可能となり、且つ、前記ねじ案内が第１位置と第２位置との間で前記シャフト上を滑動可能となるようにして、装着され、前記ねじ案内（２６）が前記第１位置にあるときは、挿入されるべきねじ式固定具が適所にねじ込まれつつある間、前記ねじ案内の先端が前記固定具を適所に保持するように前記固定具の周りに嵌合し、前記ねじ案内（２６）が前記第２位置にあるときは、前記ねじ案内の先端が前記シャフトの先端（１４）を十分に露出するように前記ハンドルの前端（１７）に向かって後退される、請求項１５に記載の工具（１）。
【請求項１７】
前記インサート（２８）の一部が、前記インサート縦穴に挿入されるドライバービットを保持する際に該保持を支援するように磁化されている、請求項１６に記載の工具（１）。
【請求項１８】
前記シャフトの先端（１４）の一部が、該シャフトの先端に位置づけられる固定具を保持する際に該保持を支援するように磁化されている、請求項１７に記載の工具（１）。
【手続補正２】
【補正対象書類名】明細書
【補正対象項目名】０００１
【補正方法】変更
【補正の内容】
【０００１】
本発明は、一般にねじ回し（スクリュードライバ）およびそれに類する手持ち工具であって、固定具（アンカー）にして該固定具が取り付けられる面内にねじ込まれて一体とならなければならないタイプの固定具を取り付けるための手持ち工具に関する。さらに詳しくは、本発明は、電動ドリルのチャック内に嵌め込む標準ドライバービットに、特別に形状づけられた工具のハンドルを取り付け、それから工具を駆動するように電動ドリルを用いる、というような使い方もできる、改良された種々の手持ち工具に関する。
【手続補正３】
【補正対象書類名】明細書
【補正対象項目名】０００４
【補正方法】変更
【補正の内容】
【０００４】
このような工具ベルトは、幅広い組合せのねじ式固定具を取り付けることができるように多数の工具製品を支持する空間を含むことが多い。これらの工具は、種々の手持ち工具（例えば、ねじ回し、ソケット、アレンレンチ）および動力工具（例えば、コードレスドリル、適切なドライバービット）を通常含み、通常の工具ベルトに利用できる収納空間の大部分をこれらが使うことになる。さらに、これら工具どうしのサイズが相違するために、小製品（例えば、ドライバービット）を通常の工具ベルト内で見出すのは困難であり、しばしば紛失する危険性もある。
【手続補正４】
【補正対象書類名】明細書
【補正対象項目名】００１４
【補正方法】変更
【補正の内容】
【００１４】
本発明の別の目的は、工具を駆動するために用いられる電動ドリルのチャック内に嵌合する標準ドライバービットに、特別に形成されたハンドルを取り付けることによって作動されることのできる、より効率的かつ安全な手持ち工具を提供することにある。
本発明のさらに別の目的は、コードレスドリルと共に使用し、それによってそのドリルの有用性を増すような、より効率的かつ安全な工具を提供することにある。
【手続補正５】
【補正対象書類名】明細書
【補正対象項目名】００１７
【補正方法】変更
【補正の内容】
【００１７】
本発明の好適実施例は、手動または自動で操作可能な工具とともに使用される、ねじ式固定具を挿入する工具である。本発明の工具は、細長いハンドルと、ハンドルの両端間に延びるシャフトとを備えている。シャフトの先端はハンドルの前端から延びかつシャフトの末端はハンドルの後端に存在する。シャフトの後端は、シャフトの中心線に沿って延びる縦穴を有する。縦穴は、電動ドリルのチャック内で嵌合するタイプの標準ドライバービットを受けるように形成される。縦穴の深さおよび壁厚は、電動ドリルによって工具に加えられるトルクを吸収するように、ドライバービットに接触する縦穴内部壁が十分な表面領域を有するような深さまでドライバービットを縦穴に入れさせるようになっている。
【手続補正６】
【補正対象書類名】明細書
【補正対象項目名】００１９
【補正方法】変更
【補正の内容】
【００１９】
別の好適実施例においては、シャフトの先端は、複数の異なるねじビットの１つを受けるよう形状づけられた縦穴を有し、該ねじビットは工具と共に使用され、ねじビットの頭部形状に一致する頭部形状を有する固定具が挿入される。この実施例は、この縦穴に挿入するのに適した種類のドライバービットを収納するように形状づけられた１またはそれ以上のスロットをハンドルに有していてもよい。
【手続補正７】
【補正対象書類名】明細書
【補正対象項目名】００２０
【補正方法】変更
【補正の内容】
【００２０】
さらに別の好適実施例においては、本発明の工具は細長いハンドルと、ハンドルの軸に沿って延びるシャフトとを備えている。シャフトの両端部はハンドル両端に接近して存在する。このシャフトは前縦穴および後縦穴を有する。後縦穴は、標準ドライバービットを受けるように形状づけられ、前縦穴は、特別のタイプの固定具を駆動するのに用いられるねじ回し頭部を有するタイプのシャフト延長部を受けるように形状づけられる。
【手続補正８】
【補正対象書類名】明細書
【補正対象項目名】００２１
【補正方法】変更
【補正の内容】
【００２１】
別の好適実施例においては、本発明の工具は、細長いハンドルと、ハンドルの後端にてハンドルの軸線上に装着された第１シャフトとを備えている。この第１シャフトは、電動ドリルのチャック内に嵌合するタイプの標準ドライバービットを受けるように形成された縦穴を有する。この工具はまた第２シャフトも有する。この第２シャフトは、ハンドルの中心線上に回転自在に装着され、ハンドルの前端から延びる部分を有する。第１および第２シャフトは、互いに同じ方向にまたは逆の方向に両シャフトを回転させるように作動するクラッチ手段によって接続される。
【手続補正９】
【補正対象書類名】明細書
【補正対象項目名】００２３
【補正方法】変更
【補正の内容】
【００２３】
好適実施例が示されかつ全体を通じて同様な参照番号は同様な要素を表すこととした図面を参照すれば、図３においては、改良された工具１またはねじ回しの形体をした本発明の実施例の斜視図が示されている。工具１は、従来のコードレス電動ドリル３と共に用いられる標準ねじ回しドライバービット５によって容易に駆動されるように変更されている。
【手続補正１０】
【補正対象書類名】明細書
【補正対象項目名】００２６
【補正方法】変更
【補正の内容】
【００２６】
シャフト延長部の末端１６は、図４の右側に示すものなどの標準ドライバービット５を受けるように形状づけられた縦穴２４を末端内に有する。この縦穴の深さは、電動ドリルによって加えられる大トルクを変形無しに吸収すべくドライバービット５に接触する縦穴内壁が十分な表面領域を有することができるような深さとされ、その深さまでドライバービットを縦穴に入れさせるようになっている。この縦穴２４内の適所に、ドライバービット（通常は鋼からなり、鉄含有材料である）を保持する際に該保持を支援するために、シャフトの末端１６は磁化され、それによって鉄含有ドライバービットを磁気的に引き付けることができる。シャフトが磁化可能材料からなっているならば、これはシャフトを直接に磁化することによって達成されうる。もしそうでないならば、適切な形状の磁石がシャフト末端１６付近に配置されうる。同様に、シャフト１０の先端１４は、鉄含有ねじまたはその他の固定具をシャフトの先端上に保持する際に該保持を支援するように磁化されうる。
【手続補正１１】
【補正対象書類名】明細書
【補正対象項目名】００３０
【補正方法】変更
【補正の内容】
【００３０】
このようなねじ回しのさらなる万能性を支援するために、本発明の別の好適実施例は、上述したものと類似はしているが、多くの多様な端部材またはねじビットの任意の１つを収容できるように形状づけられた先端１４を有するねじ回しからなる。例えば、先端１４がその先端内に六角形縦穴２７を有する場合には、それは図４の右側に示すねじ回しまたはドライバービット５の任意のものを交換可能に収容できる。このようなねじ回しを適所に保持する際に該保持を支援するために、先端１４は磁化される。
【手続補正１２】
【補正対象書類名】明細書
【補正対象項目名】００３１
【補正方法】変更
【補正の内容】
【００３１】
種々のねじ回しまたはドライバービット５を保持することを容易にするために、本発明の別の実施例は、前面１７の周囲にスロット１５を持つハンドルを有する。これらのスロット１５は、種々のドライバービット５の１つを各スロット１５内に挿入・収納するように形状づけられる。図６を参照されたい。
【手続補正１３】
【補正対象書類名】明細書
【補正対象項目名】００３３
【補正方法】変更
【補正の内容】
【００３３】
様々な低トルクが付加されることを考慮して、これらの器具は、ハンドル全体に亘って延びる単独シャフトのみから作られないように形成することが望ましい。すなわち、標準ドライバービットを受けるように特別に形状づけられ且つ磁化された縦穴２４を内部に持つ金属インサート２８を、ハンドル１２の端面１８に挿入することが望ましい。図７を参照されたい。
【手続補正１４】
【補正対象書類名】明細書
【補正対象項目名】００３７
【補正方法】変更
【補正の内容】
【００３７】
前述した後端縦穴５２は、図４の右側に示す任意の標準ドライバービット５の端を受けるように形状づけられる。この縦穴５２の深さは、電動ドリルによって加えられる大トルクを変形無しに吸収するよう、ドライバービットと接触する縦穴内部壁が十分な表面領域を有するようになる深さまで、ビットを縦穴に入れさせるようになっている。ドライバービットをこの縦穴５２内で適所に保持する際に該保持を支援するために、シャフトの後端４８は、鉄含有ドライバービットを磁気的に引き付けるように磁化されうる。
前端縦穴５０は、多数の交換可能シャフト延長部５４の１つの後端５６を受けるように形状づけられている。前に述べたのと同じように、この縦穴５０の深さおよび壁厚は、器具によって加えられる予想されたトルクを吸収するように選択される。これらの延長部５４の前端５８および後端５６は、図４に示すものなどの特別タイプのねじまたは固定具を駆動するように用いられる、ねじ回し頭部の形体に合わせて形状づけられる。これらの端は、延長部先端のいずれかに鉄含有ねじまたはその他の固定具を保持する際に該保持を支援するように磁化されることが好ましい。
高トルクが付加されることを考慮して、シャフト延長部５４の一部は、１つまたはそれを超えるリブ６０を有することができる。このような延長部５４と共に使用されるべく、前縦穴５０は、リブ６０を収容するようにして延長部５４を前縦穴５０内に嵌合させるような整合スロット６２を有するように、形状づけられる。
【手続補正１５】
【補正対象書類名】明細書
【補正対象項目名】００４０
【補正方法】変更
【補正の内容】
【００４０】
より広い万能性のために、本発明の一つの実施例には、２本に分かれたシャフト、すなわち前シャフト６６および後シャフト６８と、ハンドル７２内のクラッチ機構７０とが設けられている。クラッチ機構７０は、前シャフト６６の先端７４がねじ式固定具を挿入するために正転する、または、ねじ式固定具を抜き出すために逆転する、いずれかの操作モードで回転されるようにする。後シャフト６８は、該後シャフト６８が電気ドリルのビット挿入によって駆動されるように、後端に縦穴７６を有する。この後シャフトの前部分は接続端７３を有し、該接続端７３は、前シャフト６６の後部分７５と接続するクラッチ機構７０と接続する。この実施例は、前シャフトの先端７４に存在する縦穴７８にマルチタイプのビットを嵌合させる機能を与えられている。工具と共に使用されうる種々のビットを収納するために、該工具はハンドル７２の前面８２に収納用スロット８０を有する。図１１を参照されたい。
【手続補正１６】
【補正対象書類名】明細書
【補正対象項目名】００４４
【補正方法】変更
【補正の内容】
【００４４】
【図１】無動力補助器具によって末端で操作されうる、ＵＳＰＮ２，６２０，００１号に開示の従来技術のねじ回しの側面図である。
【図２】カップリングに取り付く電気ドリルによって末端で操作されることを可能にするように特別に形成されたカップリングを用いた、ＵＳＰＮ４，４３７，３６５号に開示の従来技術のねじ回しの側面図である。
【図３】改良ねじ回しの形体をした本発明の実施例の斜視図である。
【図４】本発明の種々の実施例によって駆動されうる様々なタイプのねじ頭の例を示す。
【図５】本発明の種々の実施例によって駆動されうる様々なタイプのナット、ボルト、ソケットの例を示す。
【図６】広い分類のねじ式固定具を装着するように交換可能ドライバービットと共に使用されうる本発明の実施例の斜視図である。
【図７】固定具を装着するために比較的低レベルのトルクが要求されるような用途に使用するものとして使用者が選択してもよい本発明に基づく好適実施例のハンドル部分の斜視図である。
【図８】電動ドリルのチャックに挿入可能な雄アダプタとして働くシャフト延長部を有する本発明に基づく好適実施例のハンドル部分の斜視図である。
【図９】工具ハンドルの後端から延長されうる後退可能式雄アダプタを有する本発明に基づく好適実施例の斜視図である。
【図１０】複数の二重用途交代可能ドライバービットを収容する本発明に基づく好適実施例の斜視図である。
【図１１】本器具をねじ式固定具に着脱させるハンドル内のクラッチ機構を有する本発明の好適実施例の斜視図である。